(57)【要約】【課題】離れた位置でも高圧洗浄装置を操作することが可能な操作盤の提供。【解決手段】フレーム上に搭載され、洗浄水を貯留する水タンクと、水タンクに吸引側が接続され、エンジンにより駆動される水ポンプと、水ポンプの吐出側に一端が接続され、他端が大ホースリールおよび小ホースリールに接続された配管と、大ホースリールおよび小ホースリールにそれぞれの基端が接続されて巻き付けられた大ホースおよび小ホースの先端にそれぞれ噴射器具を備えた高圧洗浄装置の操作盤４であって、水ポンプにより圧送される洗浄水を噴出するホースを大ホースまたは小ホースに切り換える大小ホース切換スイッチ２０と、大ホースリールの回転速度調整ハンドル２１とを備えた操作盤本体４ａと、操作盤本体４ａに着脱可能であり、大ホースリールから大ホースを巻取、停止および繰出可能なスイッチ３３と、エンジンの増減速スイッチ３２とを備えたリモコン装置４ｂとを含む。【選択図】図３
2013044106.tif 000002
【特許請求の範囲】
【請求項１】
フレーム上に搭載され、洗浄水を貯留する水タンクと、
前記水タンクに吸引側が接続され、エンジンにより駆動される水ポンプと、
前記水ポンプの吐出側に一端が接続され、他端が大ホースリールおよび小ホースリールに接続された配管と、
前記大ホースリールおよび前記小ホースリールにそれぞれの基端が接続されて巻き付けられた大ホースおよび小ホースの先端にそれぞれ噴射器具を備えた高圧洗浄装置の操作盤であって、
前記大ホースリールおよび前記小ホースリールの近傍に取り付けられた操作盤本体であり、前記水ポンプにより圧送される洗浄水を噴出するホースを前記大ホースまたは前記小ホースに切り換える大小ホース切換スイッチと、前記大ホースリールの回転速度調整ハンドルとを備えた操作盤本体と、
前記操作盤本体に着脱可能なリモコン装置であり、前記大ホースリールから前記大ホースを巻取、停止および繰出可能なホースリール駆動スイッチと、前記エンジンの増減速スイッチとを備えたリモコン装置と
を含む高圧洗浄装置の操作盤。
【請求項２】
車台上のフレームに搭載され、洗浄水を貯留する水タンクと、
前記水タンクに吸引側が接続され、走行エンジンにより駆動される水ポンプと、
前記水ポンプの吐出側に一端が接続され、他端が大ホースリールおよび小ホースリールに接続された配管と、
前記大ホースリールおよび前記小ホースリールにそれぞれの基端が接続されて巻き付けられた大ホースおよび小ホースの先端にそれぞれ噴射器具を備えた高圧洗浄車の操作盤であって、
前記大ホースリールおよび前記小ホースリールの近傍に取り付けられた操作盤本体であり、前記水ポンプにより圧送される洗浄水を噴出するホースを前記大ホースまたは前記小ホースに切り換える大小ホース切換スイッチと、前記大ホースリールの回転速度調整ハンドルとを備えた操作盤本体と、
前記操作盤本体に着脱可能なリモコン装置であり、前記大ホースリールから前記大ホースを巻取、停止および繰出可能なホースリール駆動スイッチと、前記エンジンの増減速スイッチとを備えたリモコン装置と
を含む高圧洗浄車の操作盤。
【発明の詳細な説明】
【技術分野】
【０００１】
本発明は、下水管や排水管等の被洗浄物の洗浄を行う高圧洗浄装置の操作盤および高圧洗浄車の操作盤に関する。
【背景技術】
【０００２】
下水管や排水管等の被洗浄物の洗浄を行う高圧洗浄車が知られている。この種の高圧洗浄車は、先端に洗浄ノズルが設けられたホースと、このホースが巻き付けられるホースリールと、ホースの先端から高圧水を噴出させるためのポンプとを備えている。作業時には、ホースリールからホースを繰り出し、ホース先端の洗浄ノズルから高圧の洗浄水を被洗浄物に噴出することによって、被洗浄物の洗浄を行う。
【０００３】
この高圧洗浄車では、ホースリールは、例えば特許文献１に記載の操作盤に設けられたホースリール操作レバーにより、流量制御機構を備えた方向切換弁を操作して回転機構および回転速度を制御可能に構成されている。また、この操作盤には、大ホースリールまたは小ホースリールを変更するための流路切換弁に接続された大小ホース切換スイッチが備えられている。
【先行技術文献】
【特許文献】
【０００４】
【特許文献１】特開２０１１−７４６４８号公報
【発明の概要】
【発明が解決しようとする課題】
【０００５】
ところで、上記操作盤は、高圧洗浄車の後方のターンテーブル上に設けられているが、作業時には作業者は操作盤から離れた位置にいるため、この操作盤を操作するために別の作業者が必要となる。
そこで、本発明においては、操作盤から離れた位置でも高圧洗浄装置を操作することが可能な高圧洗浄装置の操作盤およびこれを備えた高圧洗浄車を提供することを目的とする。
【課題を解決するための手段】
【０００６】
本発明の高圧洗浄装置の操作盤は、フレーム上に搭載され、洗浄水を貯留する水タンクと、水タンクに吸引側が接続され、エンジンにより駆動される水ポンプと、水ポンプの吐出側に一端が接続され、他端が大ホースリールおよび小ホースリールに接続された配管と、大ホースリールおよび小ホースリールにそれぞれの基端が接続されて巻き付けられた大ホースおよび小ホースの先端にそれぞれ噴射器具を備えた高圧洗浄装置の操作盤であって、大ホースリールおよび小ホースリールの近傍に取り付けられた操作盤本体であり、水ポンプにより圧送される洗浄水を噴出するホースを大ホースまたは小ホースに切り換える大小ホース切換スイッチと、大ホースリールの回転速度調整ハンドルとを備えた操作盤本体と、操作盤本体に着脱可能なリモコン装置であり、大ホースリールから大ホースを巻取、停止および繰出可能なスイッチと、エンジンの増減速スイッチとを備えたリモコン装置とを含むものである。
【０００７】
本発明の高圧洗浄装置の操作盤によれば、操作盤本体において大小ホース切換スイッチにより水ポンプにより圧送される洗浄水を噴出するホースを予め大ホースまたは小ホースに切り換えることができる。その後、作業者は操作盤本体から離れた位置でリモコン装置のホースリール駆動スイッチを操作して、大ホースリールを巻取、停止または繰出することができる。また、操作盤本体には、大ホースリールの回転速度調整ハンドルを備えているので、作業者は、予め操作盤本体により大ホースリールの回転速度を調整しておき、リモコン装置のホースリール駆動スイッチを操作して、予め調整された回転速度により大ホースリールを巻取、停止または繰出することが可能となるが、操作盤本体から離れた位置でリモコン装置の増減速スイッチを操作し、エンジンの回転数を増減させることで、大ホースリールの回転速度をある程度の範囲内で調整することができる。また、リモコン装置には、エンジンの増減速スイッチを備えているので、作業者は、水ポンプを駆動して大ホースまたは小ホースから洗浄水を噴出させる際、操作盤本体から離れた位置でリモコン装置の増減速スイッチを操作してエンジンの回転数を増減速させることで、ホース先端の噴射器具からの噴射量を調整可能となる。
【発明の効果】
【０００８】
本発明によれば、洗浄作業に使用するホースを予め操作盤本体の大小ホース切換スイッチにより大ホースを選択して、作業者は操作盤本体から離れた位置でリモコン装置のホースリール駆動スイッチを操作して、大ホースリールを巻取、停止または繰出することができ、操作盤本体から離れた位置でも高圧洗浄装置を操作することが可能となるが、リモコン装置の増減速スイッチを操作し、エンジンの回転数を増減させることで、大ホースリールの回転速度をある程度の範囲内で調整することができる。また、作業者は、予め操作盤本体により大ホースリールの回転速度を調整して、操作盤本体から離れた位置でリモコン装置のホースリール駆動スイッチを操作し、予め調整された回転速度により大ホースリールを巻取、停止または繰出することが可能となる。また、作業者は、水ポンプを駆動して大ホースまたは小ホースから洗浄水を噴出させる際、操作盤本体から離れた位置でリモコン装置の増減速スイッチを操作してエンジンの回転数を増減速させることで、ホース先端の噴射器具からの噴射量を調整可能となる。
【図面の簡単な説明】
【０００９】
【図１】本発明の実施の形態における高圧洗浄車の側面図である。
【図２】図１の高圧洗浄車の平面図である。
【図３】図１の操作盤の拡大正面図である。
【図４】本実施形態における高圧洗浄装置の水回路図である。
【図５】本実施形態における高圧洗浄装置の電気回路図である。
【発明を実施するための形態】
【００１０】
図１は本発明の実施の形態における高圧洗浄車の側面図、図２は平面図、図３は図１の操作盤の拡大正面図である。図１および図２に示すように、本実施形態における高圧洗浄車は、車台１０上に高圧洗浄装置１が搭載されたものである。高圧洗浄装置１は、車台１０上のフレーム１０ｂに搭載された洗浄水を貯留する水タンク１１と、水タンク１１内の洗浄水を圧送する水ポンプ１３と、水ポンプ１３を収容するポンプ室１２と、大ホース２ａの基端が接続されて巻き付けられた大ホースリール２と、小ホース３ａの基端が接続されて巻き付けられた小ホースリール３と、大ホースリール２および小ホースリール３の正逆回転駆動や大ホース２ａおよび小ホース３ａからの洗浄水の噴出の操作を行うための操作盤４とを備える。大ホース２ａおよび小ホース３ａの先端には、それぞれ噴射器具２ｂ，３ｂ（図４参照。）が取り付けられている。また、大ホースリール２、小ホースリール３および操作盤４は、鉛直軸周りに回転可能なターンテーブル５を介して車台１０の後端部のフレーム１０ｂに搭載されている。
【００１１】
車台１０のキャブ１０ａ下には、車両走行用のエンジン１８が搭載されている。水ポンプ１３は、図４に示すように、プーリ１４、Ｖベルト１５、ドライブシャフト１６およびＰＴＯ（動力取出装置）１７を介して連結された車両走行用のエンジン１８により駆動される。
【００１２】
また、図示しないが、大ホースリール２および小ホースリール３には、それぞれ正逆回転させる第１油圧モータおよび第２油圧モータが連結されている。第１油圧モータおよび第２油圧モータは、車両走行用エンジンにより動力伝達機構およびＰＴＯ１７を介して駆動される油圧ポンプや流路切換弁等により構成される油圧装置により正逆回転駆動される。
【００１３】
操作盤４は、図３に示すように、ターンテーブル５上の大ホースリール２および小ホースリール３の近傍に固定された操作盤本体４ａと、操作盤本体４ａの上部に着脱自在に設けられたリモコン装置４ｂとから構成される。本発明の実施形態では、操作盤本体４ａとリモコン装置４ｂとはケーブル４ｃで接続されているが、無線で通信できるようにしても良い。操作盤本体４ａには、大小ホース切換スイッチ２０、大小ホースリール回転速度調整ハンドル２１、非常停止スイッチ２２、タコメータ２３、アワーメータ２４、水圧計２５や緊急停止ランプ２６等が設けられている。一方、リモコン装置４ｂには、電源スイッチ３０、電源ランプ３１、エンジン回転調速スイッチ３２、大小ホースリール駆動スイッチ３３、ＰＴＯスイッチ３４、ＰＴＯオンランプ３５やエンジン高回転ランプ３６等が設けられている。
【００１４】
操作盤本体４ａに設けられた大小ホース切換スイッチ２０は、水ポンプ１３により圧送される洗浄水を噴出するホースを大ホース２ａまたは小ホース２ｂに切り換えるスイッチである。また、大小ホースリール回転速度調整ハンドル２１は、大ホースリール２または小ホースリール３の回転速度を調整するハンドルである。非常停止スイッチ２２は、大ホース２ａまたは小ホース３ａからの洗浄水の噴射を緊急停止させるスイッチである。緊急停止ランプ２６は、洗浄水の噴射が緊急停止した際に点灯するランプである。
【００１５】
リモコン装置４ｂに設けられた電源スイッチ３０は、操作盤４の電源をオンオフするスイッチである。エンジン回転調速スイッチ３２は、エンジンの回転数を増減速させるスイッチである。大小ホースリール駆動スイッチ３３は、大小ホース切換スイッチ２０により切り換えられた大ホースリール２または小ホースリール３を正逆回転駆動させるスイッチである。ＰＴＯスイッチ３４は、ＰＴＯ１７をオンオフするスイッチである。
【００１６】
次に、高圧洗浄装置１の水回路構成について説明する。図４は、高圧洗浄装置１の水回路図である。図４に示すように、高圧洗浄装置１の水タンク１１の底部には配管４０の一端部が接続されている。配管４０の他端部は水ポンプ１３の吸引側に接続されている。また、配管４０の途中にはストレーナ４１が設けられている。水ポンプ１３の吐出側には、配管４２の一端が接続されている。水ポンプ１３は配管４２を介して水タンク１１内に貯留された洗浄水を吸入し、高圧の洗浄水として配管４２に吐出する。
【００１７】
また、配管４２の他端は、圧力制御弁４３に接続されている。圧力制御弁４３は配管４４を介してマニホールド４５と接続されている。また、圧力制御弁４３は配管４６を介して水タンク１１とも接続されている。圧力制御弁４３は、主として配管４２内の洗浄水を、配管４４へ導くが、流入した洗浄水の圧力が所定の設定圧力よりも高い場合、その一部を配管４６へ導く。このようにして、配管４４へ導く洗浄水の圧力は、圧力制御弁４３により所定の設定圧力以下となるように制御される。
【００１８】
また、大ホース２ａは配管４７を介してマニホールド４５と接続されており、配管４７の途中には電磁弁４８が設けられている。また、小ホース３ａは配管４９を介してマニホールド４５と接続されており、配管４９の途中には電磁弁５０が設けられている。
【００１９】
次に、高圧洗浄装置１の電気回路構成について説明する。図５は、高圧洗浄装置１の電気回路の一部を示す回路図である。図５において、特に図示しないリレー回路等は、キャブ１０ａ内に設けられ、スイッチ、ランプ等は操作盤本体４ａと、リモコン装置４ｂに設けられている。２００はキースイッチのオンにより通電される電源ライン、２０１は別のキャブ１０ａ内に設けられたＰＴＯスイッチ（図示せず。）のオンにより通電される電源ライン、２０２はバッテリに接続された電源ライン、２０５はエンジンの回転数をパルス信号に変換したタコ信号、２０３はアースラインである。
【００２０】
リモコン装置４ｂの電源スイッチ３０は電源ライン２００に接続されており、この電源スイッチ３０がオンされると、Ｒ１リレーに通電される。また、キャブ１０ａ内のＰＴＯスイッチ（図示せず。）と並列に設けられたリモコン装置４ｂのＰＴＯスイッチ３４がオンされると、電源ライン２０１に通電され、リモコン装置４ｂのＰＴＯランプ３５が点灯されるとともに、Ｒ２リレーに通電される。リモコン装置４ｂの電源ランプ３１は、Ｒ１リレーのａ接点Ｒ１およびＲ２リレーのａ接点Ｒ２が閉じることにより通電される電源ライン２０４に接続されている。
【００２１】
また、操作盤本体４ａのタコメータ２３の電源２３ａ、アワーメータ２４、大小ホース切換スイッチ２０および非常停止スイッチ２２も、このＲ１リレーのａ接点Ｒ１およびＲ２リレーのａ接点Ｒ２が閉じることにより通電される電源ライン２０４に接続されている。
【００２２】
大小ホース切換スイッチ２０は、大ホース、停止または小ホースの３位置を切り換え可能なスイッチであり、大ホース位置が選択されると、Ｒ４リレーに通電され、電磁弁４８が開かれて、大ホース２ａから洗浄水を噴出可能となる。また、小ホース位置が選択されると、Ｒ５リレーに通電され、電磁弁５０が開かれて、小ホース３ａから洗浄水を噴出可能となる。また、停止位置が選択されると、Ｒ４リレーおよびＲ５リレーに通電されず、電磁弁４８，５０が閉じて、大ホース２ａおよび小ホース３ａから洗浄水は噴出されない。
【００２３】
また、リモコン装置４ｂの大小ホースリール駆動スイッチ３３は、図示しないが、大小ホース切換スイッチ２０の大ホース側接点および小ホース側接点が接続されており、大小ホースリール駆動スイッチ３３により巻取位置または操出位置が選択されると、前述の大ホースリール２および小ホースリール３の第１油圧モータおよび第２油圧モータがそれぞれ正回転または逆回転するように油圧装置の流路切換弁等を切り換える。
【００２４】
また、操作盤本体４ａの非常停止スイッチ２２は、電源ライン２０４に接続されており、オンされるとＲ１０リレーに通電されなくなって、エンジンの動力が水ポンプ１３に伝達されなくなり、水ポンプ１３が停止し、大ホース２ａまたは小ホース３ａからの洗浄水の噴射が停止するとともに、操作盤本体４ａの緊急停止ランプ２６が点灯する。
【００２５】
また、電源ライン２０４には、エンジンのアイドリング回転数を検出するｂ接点スイッチ５１を介してＲ１１リレーが接続されている。また、電源ライン２０４には、エンジンの上限回転数を検出するａ接点スイッチ５２を介してリモコン装置４ｂのエンジン高回転ランプ３６およびＲ１２リレーが並列に接続されている。また、電源ライン２０４には、エンジン回転調速スイッチ３２が接続されている。エンジン回転調速スイッチ３２には、Ｒ１１リレーのａ接点Ｒ１１、エンジンのアクセルを作動させるモータＭ、Ｒ１２リレーのｂ接点Ｒ１２およびＴリレーならびにＴリレー接点の遅延動作で通電するＲ１３リレーおよびそのａ接点Ｒ１３が接続されている。
【００２６】
上記構成により、本実施形態における高圧洗浄装置１では、予め操作盤本体４ａの大小ホース切換スイッチ２０により大ホース位置または小ホース位置を選択しておき、リモコン装置４ｂの電源スイッチ３０およびＰＴＯスイッチ３４をオンにすると、大小ホース切換スイッチ２０により選択された大ホース２ａまたは小ホース３ａから洗浄水を噴出することが可能になるとともに、大小ホース切換スイッチ２０により選択された大ホース２ａの大ホースリール２または小ホース３ａの小ホースリール３を、リモコン装置４ｂの大小ホースリール駆動スイッチ３３を操作することにより正逆回転駆動することが可能となる。
【００２７】
以上のように、本実施形態における高圧洗浄装置１では、作業者は、洗浄作業に使用する大ホースリール２または小ホースリール３を予め操作盤本体４ａの大小ホース切換スイッチ２０により選択して、作業者は操作盤本体４ａから離れた位置でリモコン装置４ｂの大小ホースリール駆動スイッチ３３を操作して、大ホースリール２または小ホースリール３を巻取、停止または繰出することができ、操作盤本体４ａから離れた位置でも高圧洗浄装置１を操作することが可能である。
【００２８】
また、この高圧洗浄装置１では、作業者は、予め操作盤本体４ａの大小ホースリール回転速度調整ハンドル２１により大ホースリール２または小ホースリール３の回転速度を調整して、操作盤本体４ａから離れた位置でリモコン装置４ｂの大小ホースリール駆動スイッチ３３を操作し、予め調整された回転速度により大ホースリール２または小ホースリール３を繰り出しまたは巻き取りすることが可能であるが、リモコン装置４ｂのエンジン回転調速スイッチ３２を操作し、エンジンの回転数を増減させることで、大ホースリール２の回転速度をある程度の範囲内で調整することができる。
【００２９】
なお、本発明の実施形態では、大ホースリール２または小ホースリール３を繰り出し、または巻き取りすることが可能であるが、大ホースリール２のみを繰り出し、または巻き取り可能としても良い。
【００３０】
また、この高圧洗浄装置１では、作業者は、水ポンプ１３を駆動して大ホース２ａまたは小ホース３ａから洗浄水を噴出させる際、操作盤本体４ａから離れた位置でリモコン装置４ｂのエンジン回転調速スイッチ３２を操作してエンジンの回転数を増減速させることが可能である。エンジン回転調速スイッチ３２を増速側に切り換えると、まずＴリレーが作動し、少し遅れてＴリレー接点が閉じ、Ｒ１３リレーに通電されてそのａ接点Ｒ１３が閉じ、モータＭが正転してエンジンが増速する。そして、エンジン上限回転数が検出されると、ａ接点スイッチ５２が作動し、Ｒ１２リレーに通電されてそのｂ接点Ｒ１２が開き、モータＭは停止し、エンジンは上限回転数で保持され、リモコン装置４ｂのエンジン高回転ランプ３６が点灯し、それ以上回転数を上げることができない。次に、エンジン回転調速スイッチ３２を減速側に切り換えると、モータＭは逆回転し、エンジンが減速する。そして、アイドリング回転数が検出されると、ｂ接点スイッチ５１が作動し、Ｒ１１リレーのａ接点Ｒ１１が開き、モータＭが停止し、エンジンはアイドリング回転を保持する。
【００３１】
なお、本発明の実施形態における高圧洗浄装置１は、高圧洗浄車の車台１０上に搭載されたものであるが、荷役車両上に搭載され、高圧洗浄装置はフレームごと下水処理場等に積み降ろしされて、定置式設備として使用することも可能である。
【産業上の利用可能性】
【００３２】
本発明は、下水管や排水管等の被洗浄物の洗浄を行う高圧洗浄装置を離れた位置でも操作することが可能な操作盤として有用である。
【符号の説明】
【００３３】
１    高圧洗浄装置
２    大ホースリール
２ａ  大ホース
３    小ホースリール
３ａ  小ホース
４    操作盤
４ａ  操作盤本体
４ｂ  リモコン装置
４ｃ  ケーブル
５    ターンテーブル
１０  車台
１１  水タンク
１２  ポンプ室
１３  水ポンプ
２０  大小ホース切換スイッチ
２１  大小ホースリール回転速度調整ハンドル
２２  非常停止スイッチ
２３  タコメータ
２４  アワーメータ
２５  水圧計
２６  緊急停止ランプ
３０  電源スイッチ
３１  電源ランプ
３２  エンジン回転調速スイッチ
３３  大小ホースリール駆動スイッチ
３４  ＰＴＯスイッチ
３５  ＰＴＯランプ
３６  エンジン高回転ランプ
４０，４２，４４，４６，４７，４９  配管
４１  ストレーナ
４３  圧力制御弁
４５  マニホールド
４８  電磁弁
【図１】
2013044106.tif 000003
【図２】
2013044106.tif 000004
【図３】
2013044106.tif 000005
【図４】
2013044106.tif 000006
【図５】
2013044106.tif 000007